(57)【要約】      （修正有）【課題】他の作業をしながらもラドンガスを積極的に口から体内に取り込むことができる利便性に優れた健康マスクを提供する。【解決手段】健康マスク１は、少なくとも使用者１８の口を覆うマスク本体を備えている。そして、前記マスク本体は、前記使用者１８に装着されると、前記使用者の口の少なくとも一部に対向する部分に、前記使用者１８が口から吸気することを可能にする空間２０が形成されるようになっている。そして、前記マスク本体２の前記空間２０を形成する部分の少なくとも一部には、ラドン発生体３が固着されている。【選択図】図４
0003148832.tif 000002
【実用新案登録請求の範囲】
【請求項１】
健康増進のために用いられる健康マスクにおいて、
少なくとも使用者の口を覆うマスク本体を備え、
前記マスク本体は、前記使用者に装着されると、前記使用者の口の少なくとも一部に対向する部分に、前記使用者が口から吸気することを可能にする空間が形成されるようになっており、
前記マスク本体の前記空間を形成する部分の少なくとも一部には、ラドン発生体が固着又は着脱自在に取り付けられた、
ことを特徴とする健康マスク。
【請求項２】
前記マスク本体は、前記空間に外気を導入するための通気孔又は開口部を有する、
ことを特徴とする請求項１に記載の健康マスク。
【請求項３】
前記マスク本体は、前記空間内にラドンを溜めるための底を有する、
ことを特徴とする請求項１乃至２に記載の健康マスク。
【請求項４】
前記マスク本体は、表面がアルミ蒸着フィルムで覆われた気泡緩衝材で形成されている、
ことを特徴とする請求項１乃至３に記載の健康マスク。
【考案の詳細な説明】
【技術分野】
【０００１】
本考案は、健康増進のために使用される健康マスクに関する。
【背景技術】
【０００２】
近年、低線量ホルミシス効果の有効性が注目されている。低線量ホルミシス効果とは、人体が低線量の放射線を皮膚、若しくは、人体の内部から浴びると、細胞・組織に作用し、免疫細胞・免疫組織が活性化され、活性化された免疫細胞・免疫組織が、様々な症状を治癒する効果をいう。
【０００３】
このような低線量ホルミシス効果を発生させる健康マスクの提案が、例えば、特許文献１に提案されている。特許文献１に係る健康マスクは、シリコーンゴムを材料とし、顔の目、鼻、口以外の部分を覆うようなマスク形状に形成されている。このシリコーンゴムには、ラジウム放射性セラミックスが混錬されている。そして、この健康マスクを人の顔肌全面に密着させて使用することにより、この健康マスクから放射される低放射線を皮膚に放射し、また、ラドンガスを皮膚から体内に取り込むことにより、低線量ホルミシス効果を得ることができるようになっている。
【０００４】
また、ラドンガスを積極的に口から体内に取り込む提案が、例えば、特許文献２に提案されている。
【０００５】
図１０を参照して、特許文献２に記載の従来技術を説明する。図１０は、特許文献２に係る発明の吸入器１０１を表した図である。特許文献２に係る吸入器１０１は、上方が開口している容器１０２に、その容器１０２を密閉するように蓋１０３が取り付けられている。その蓋１０３には、ラドンガスを吸うための吸気管１０４を通すための孔が形成され、吸気管１０４が容器１０２に挿入されている。そして、容器１０２内には、ラドンガスを発生させる鉱石１０５が入れられ、吸気管１０４の吸気口１０６を通してラドンガスを吸うことができるようになっている。
【特許文献１】特開２００４−３５７８３３
【特許文献２】特開２００７−３１３２７４
【考案の開示】
【考案が解決しようとする課題】
【０００６】
しかしながら、特許文献１に係る健康マスクは、シリコーンゴムにラジウム放射性セラミックスが混錬されている構成であるが、シリコーンゴムについての通気性には、一切触れられておらず、シリコーンゴムの内部に混錬されたラジウム放射性セラミックスからラドンガスが有効に発生し、顔肌まで届いているか当業者間において疑問が提示されていた。
【０００７】
さらに、特許文献１に係る健康マスクは、ラドンを皮膚から体内に取り込む構成になっているが、人間は、皮膚を介して気体を出入りさせることはほとんどなく。例えば、人間の呼吸量の１パーセントに満たない量の酸素しか皮膚からは取り入れられていない実験データがある。よって、特許文献１に係る健康マスクは、口を覆っていないため、ラドンガスを体内に効果的に取り込むことができているか疑問視されていた。
【０００８】
また、特許文献２に係る吸入器１０１は、吸気管１０４からラドンガスを吸うことにより、口から体内にラドンガスを取り込むことができるものの、吸入器１０１という構成上、ラドンガスを吸うためには、吸入器１０１における吸気管１０４の吸気口１０６に口をあて続けてラドンガスを吸う作業に専念せねばならず、吸引中は他の作業をすることができなかった。
【０００９】
そこで、本考案は、他の作業をしながらもラドンガスを積極的に口から体内に取り込むことができる利便性に優れた健康マスクを提供することを目的とする。
【課題を解決するための手段】
【００１０】
請求項１に係る考案は、健康増進のために用いられる健康マスクに関するものである。少なくとも使用者の口を覆うマスク本体を備えている。そして、前記マスク本体は、前記使用者に装着されると、前記使用者の口の少なくとも一部に対向する部分に、前記使用者が口から吸気することを可能にする空間が形成されるようになっている。そして、前記マスク本体の前記空間を形成する部分の少なくとも一部には、ラドン発生体が固着又は着脱自在に取り付けられたことを特徴としている。
【００１１】
請求項２に係る考案は、請求項１の考案に係る健康器具において、前記マスク本体は、前記空間に外気を導入するための通気孔又は開口部を有することを特徴としている。
【００１２】
請求項３に係る考案は、請求項１又は２のいずれかに記載の考案に係る健康マスクにおいて、前記マスク本体は、前記空間内にラドンを溜めるための底を有することを特徴としている。
【００１３】
請求項４に係る考案は、請求項１又２のいずれかに記載の考案に係る健康マスクにおいて、前記マスク本体は、表面がアルミ蒸着フィルムで覆われた気泡緩衝材で形成されていることを特徴としている。
【考案の効果】
【００１４】
以上のように、本実施形態の健康マスクによれば、使用者は、健康マスクの裏面から発生したラドンを、空間を介して、口呼吸により空気とともに吸うことができる。そして、その空間には、ラドンを吸うと同時に、空気が補充され、引き続きラドンを空気とともに吸うことができる。
【００１５】
使用者は、健康マスクから発生したラドンを口から吸いこむことにより、ラドンが、肺から血液に溶け込み全身を巡り、全身の細胞に刺激を与え、細胞を活性化させる低放射線ホルミシス効果を得ることができる。
【００１６】
また、健康マスクは使用者が着用して使用するものであるため、使用者は他の作業をしながら、例えば、入浴しながらラドンガスを吸引することができ、低線量ホルミシス効果を得ることができる。
【考案を実施するための最良の形態】
【００１７】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
［第１実施形態］
（健康マスクの構成）
図１（ａ）乃至図１（ｂ）を参照して、本考案の第１実施形態に係る健康マスク１について説明する。図１（ａ）は、健康マスク１を表面側から見た斜視図である。図１（ｂ）は、健康マスク１を裏面側から見た斜視図である。
【００１８】
図１（ａ）、（ｂ）に示す通り、健康マスク１は、健康マスク１の土台となるマスク本体２と、マスク本体２の裏面に取り付けられる第一ラドン発生体３及び第二ラドン発生体４と、マスク本体２の帯部６，５に接着されるループ状面ファスナー７及びフック状面ファスナー８と、を備えている。
【００１９】
健康マスク１は、人の顔を覆う形状をしている。具体的には、上下方向が顔の額から顎裏にかけての部位を被覆し、左右方向が、両頬間の部位を被覆するような大きさ及び形状をしている。そして、健康マスク１の左右両側縁からは、側方へ向かって延出する一対の帯部６，５を有している。一方側へ延出する帯部６の表面には、ループ状面ファスナー７が接着され、他方側へ延出する帯部５の裏面には、フック状面ファスナー８が接着されている。
【００２０】
また、健康マスク１は、人の目に対応する部分に、マスク本体２の表裏を貫通する円形状の目に対応する穴１０，１０が形成されている。そして、人の鼻の穴に対応する部分には、マスク本体２の表裏を貫通する円形状の鼻の穴に対応する穴１１，１１が形成されている。目に対応する穴１０は、使用者の視界を確保するためのものである。また、鼻の穴に対応する穴１１は、使用者が呼吸をするための空気を取り込むためのものである。
【００２１】
図２（ａ）、（ｂ）を参照して、健康マスク１の土台となるマスク本体について説明する。図２（ａ）は、マスク本体２の展開図である。図２（ｂ）は、マスク本体２を表面側から見た斜視図である。
【００２２】
図２（ａ）に示す通り、マスク本体２は、マスク本体２の右顔面に対応する形状の右シート部材１２と、左顔面に対応する形状の左シート部材１３と、によって構成されている。右シート部材１２と左シート部材１３は、左右対称に形成され、略しゃもじ形状となっている。この右シート部材１２及び左シート部材１３は、顔を覆う被覆部１４，１４と、帯部５，６と、を有している。
【００２３】
ここでは、右シート部材１２及び左シート部材１３は、合成皮革を用いた場合で説明する。合成皮革は、加工し易く、水をはじく、性質を有している。
【００２４】
右シート部材１２を用いて、右シート部材１２の構成要素となる被覆部１４、帯部５、を説明する。
【００２５】
右シート部材１２の被覆部１４は、顔の右半分を覆う部分となり、略扇形をしている。被覆部１４には、被覆部１４の縦方向の中心よりやや上の位置であって、被覆部１４の横方向の中心から曲線状の一端縁１５よりの位置に、目に対応する穴１０が形成されている。この目に対応する穴１０は、右シート部材１２を貫通する円形状の穴である。被覆部１４の縦方向のほぼ中心の位置であって曲線状の一端縁１５の近傍には、鼻の穴に対応する穴１１が形成されている。この鼻の穴に対応する穴１１は、右シート部材１２を貫通する円形状の３個の穴である。そして、被覆部の曲線状の一端縁１５には、額に対応する部分１５ａと、目から口までに対応する部分１５ｂと、顎から顎裏までに対応する部分１５ｃと、を有している。これらは、曲率半径の大きさが異なっている。すなわち、目から口までに対応する部分１５ｂの曲率半径がなだらかな曲線となっているのに対し、顎から顎裏までに対応する部分１５ｃは、目から口までに対応する部分１５ｂと比較して、曲率半径が小さくなっている。また、額に対応する部分１５ａは、目から口までに対応する部分１５ｂと比較して、曲率半径が小さくなっている。そして、被覆部１４の下端の一部には、切り欠き部１６が形成されている。この切り欠き部１６は、切り欠かれた部分を塞ぐように縫合することで、マスク本体２とした時に、使用者の頬から顎裏にかけて覆うための立体間を形成するものである。
【００２６】
右シート部材１２の帯部５は、右シート部材１２の曲線状の一端縁１５が形成される他端側から側方へ向かって延出している。この帯部５の形状は、略矩形状となっている。
【００２７】
左シート部材１３は、前述した通り右シート部材１２と左右対称な形状となっている。
【００２８】
図２（ｂ）に示す通り、右シート部材１２の裏面と左シート部材１３の裏面とを重ね、曲線状の一端縁１５から縫い代をとって曲線状の一端縁１５に沿って右シート部材１２及び左シート部材１３を縫合し、さらに、右シート部材１２及び左シート部材１３に形成された切り欠き部１６、１６の切り欠きを縫合するとマスク本体２となる。マスク本体２は、右シート部材１２及び左シート部材１３に曲線状の一端縁１５及び切り欠き部１６を有することにより、マスク本体２を広げた際に、使用者の顔を覆う凹部を持つ形状となる。
【００２９】
なお、マスク本体２の材料を合成皮革を用いた場合で説明したが、顔を覆うように形成できるものであれば良く、これに限定されるものではない。例えば、合成樹脂、合成繊維、シリコーンゴム、セラミック、紙でも良い
図３（ａ）、（ｂ）を参照して、健康マスクを展開した状態を説明する。図３（ａ）は、表面側から見た健康マスク１の展開図である。図３（ｂ）は、裏面側から見た健康マスク１の展開図である。図３（ａ）に示す通り、左シート部材１３の帯部６の表面には、ループ状面ファスナー７が接着されている。図３（ｂ）に示す通り、左シート部材１３及び右シート部材１２の裏面には、鼻に対応する穴１１の下方に位置する曲線状の一端縁１５から円弧形状に第一ラドン発生体３が固着されている。そして、それ以外の部分には、第二ラドン発生体４が固着されている。さらに、右シート部材１２の帯部５には、フック状面ファスナー８が接着されている。
【００３０】
第一ラドン発生体３は、パウダー状のトリウム鉱石を、塗布後において、通気性に優れた性質を有する炭塗料（例えば、株式会社サンハロー製の、商品名「ヘルスコート」）に混入したもので液状ある。この第一ラドン発生体３は、液状物を対象物に塗布した後、乾燥して塗料被膜を形成して固着する性質を有している。また、塗布後において通気性に優れた炭塗料を接着剤としているため、パウダー状のトリウム鉱石からラドンが発生し易くなっている。また、パウダー状のトリウム鉱石からは、ラドンだけでなく、低放射線が放射されている。
【００３１】
第二ラドン発生体４は、パウダー状のトリウム鉱石と、炭塗料（例えば、竹炭市場製の炭塗料）と、シリコーンゴム系バインダー（例えば、ガンツ化成株式会社製、商品名「ウルトラゾールＴ−１５４−１」）と、を重量比１．６対１対１の割合で混合したもので液状である。この第二ラドン発生体４は、液状物を対象物に塗布した後、乾燥させるとシリコーンゴムの塗料被膜を形成して固着する性質を有している。そして、シリコーンゴムの塗料被膜を形成するため、肌触りが良く、耐水性に優れているという性質を有している。また、シリコーンゴムの塗料被膜を形成するため、可撓性があり、マスク本体２を変形させても第一ラドン発生体３に比較して、マスク本体２から剥離し難くなっている。ここで、シリコーンゴムの塗料被膜を構成するため、第一ラドン発生体３に比較して、パウダー状のトリウム鉱石から発生するラドンを阻害してしまうことになるが、上記配合においては、第一ラドン発生体３に比較してラドンの発生量が落ちるもののラドンの発生が実験により確認されている。また、第一ラドン発生体３同様、パウダー状のトリウム鉱石からは、ラドンだけでなく、低放射線が放射されている。なお、第二ラドン発生体４の配合比率について、一例を例示して説明したが、これに限定されるものではない
第一ラドン発生体３と第二ラドン発生体４は、以上のような性質を持つため、マスク本体２の口元に相当する部分には、第二ラドン発生体４に比較してより多くのラドンを発生する第一ラドン発生体３を固着させ、使用者の肌と接触する部分を有する他の部分に第二ラドン発生体４を固着させる構成にした。
【００３２】
ここで、トリウム鉱石は、ラドン及びその他の低放射線（α線、β線、γ線）を発生する。また、トリウム鉱石からは遠赤外線が放出されている。遠赤外線は、熱線としての性質を持っており、対象物に照射させることにより照射された物を内部から暖めることができる性質を持っている。
【００３３】
ラドンは、溶解性の高い気体で、無色、無味、無臭で科学的にはヘリウム等と同じ稀ガスである。そして、ラドンの比重は、空気の７倍と希ガスの中では最も重たい気体である。
【００３４】
低放射線は、自然放射線（０．２〜０．３μＳｖ／ｈ）の１００倍程度の放射線のことをいい。人体は、低線量の自然放射線（α線、β線、γ線）を体の外部及び内部から浴びると、細胞・組織に作用し、免疫細胞・免疫組織が活性化され、活性化された免疫細胞・免疫組織が、様々な症状を治癒するいわゆる低線量ホルミシス効果が作用する。また、低放射線は、放射されたものを殺菌する効果を有している。
【００３５】
炭塗料は、抗菌効果、消臭効果、また、遠赤外線を放射する性質を有している。
【００３６】
（健康マスクの使用状態）
図４（ａ）、（ｂ）を参照して、このような健康マスク１の装着状態を説明する。図４（ａ）は、健康マスク１の使用状態を表した図である。図４（ｂ）は、健康マスク１の使用状態を断面図で表したものである。
【００３７】
図４（ａ）に示す通り、健康マスク１の使用者１８は、顔に健康マスク１の裏面側をあて、一方の帯部５に形成されたフック状面ファスナー８を他方の帯部６に形成されたループ状面ファスナー７に係合させることにより健康マスク１を使用者１８の顔面に固定することができる（図１参照）。
【００３８】
図４（ｂ）を用いて、健康マスク１の着用状態及びラドン１７の吸引を説明する。本実施形態に係る健康マスク１で使用者１８の顔を覆う場合、健康マスク１が、額と、顎から顎裏と、頬から顎裏に密着する。そして、健康マスク１は、上記使用者の密着される部分を除いた部分が、使用者の顔面に対し距離を持って固定される。以上により、健康マスク１の裏面と顔面との間には、健康マスクの下方向に閉じたラドンが通る空間２０ができる。そして、このラドンが通る空間２０の一部の面である健康マスク１の裏面には、第一ラドン発生体３と第二ラドン発生体４が固着され、且つ、外気を取り入れ、使用者が吸気するための通気孔となる鼻の穴に対応する穴１１を有する。
【００３９】
すなわち、健康マスク１の裏面の口元には、第一ラドン発生体３が、それ以外の部分には、第二ラドン発生体４が固着されている。この第一ラドン発生体３及び第二ラドン発生体４からはラドン１７及び低放射線２１が発生する。この発生したラドン１７の内、口又は鼻の近傍で発生したラドン１７は、呼吸をすることにより、ラドンが通る空間２０を介して口又は鼻から空気とともに体内に取り込まれる。
【００４０】
また、口及び鼻の近傍以外で発生したラドン１７、例えば、健康マスク１の使用者１８の眉間に対応する部分に固着された第二ラドン発生体４から発生したラドン１７は、前述した通りラドン１７は空気より比重が重たいため、ラドンが通る空間２０の内部で下方向に向かって落下する。この際に、鼻又は口の近傍にラドン１７が位置した場合は、呼吸により空気とともに体内に取り込まれる。また、ラドン１７が下降する間にラドン１７を鼻又は口から体内に取り込むことができない場合であっても、先に述べた通り、ラドンが通る空間２０の底は閉じているため、ラドン１７はラドンが通る空間２０の内部に溜まることにより、ラドン１７はラドンが通る空間２０に溜まっていき、やがて口から吸うことができる。
【００４１】
ラドン１７を空気と一緒に吸うと同時に、このラドンが通る空間２０には、鼻の穴に対応する穴１１又は、目に対応する穴１０から外気が取り込まれ、引き続きラドン１７を吸い続けることができる。
【００４２】
なお、吸気するための通気孔をマスク本体２に形成された目に対応する穴１０又は、鼻の穴に対応する穴１１として説明したが、ラドンを空気とともに吸引すると同時にラドンが通る空間内２０に空気を取り入れることができれば良く。これに限定されるものではない。例えば、口を覆う部分がメッシュであるマスクの場合は、メッシュ部分から空気を取り入れる構成でも良い。
【００４３】
（本実施例の効果）
健康マスク１の裏面に固着された第一ラドン発生体３及び第二ラドン発生体４から発生したラドン１７は、呼吸をすることによりラドンが通る空間２０を介しラドン１７を空気と一緒に体内に取り込むことができる。また、ラドン１７が発生後、口又は鼻近傍に位置することなく、ラドンが通る空間２０内を落下したラドン１７についても、マスク裏面と着用者の顔面とで作られるラドンが通る空間２０の内部に溜まることにより、使用者１８が、ラドン１７を無駄なく効率的に吸うことができる。
【００４４】
以上により、口又は鼻から吸い込まれたラドン１７は、肺から血液に溶け込むことにより全身を巡り、全身の細胞に刺激を与え、細胞を活性化させる低線量ホルミシス効果を得ることができる。
【００４５】
また、健康マスク１の裏面のうちで、口元以外には、第二ラドン発生体４のシリコーンゴムの塗料被膜が使用者１８に触れるため、使用者１８に健康マスク１の装着感について不快感を与えない健康マスク１を提供することができる。
【００４６】
また、健康マスク１の裏面に固着された第一ラドン発生体３及び第二ラドン発生体４から放射される低放射線２１が、顔肌に放射されることにより、放射された皮膚を活性化させるホルミシス効果を発生させる。具体的には、肌の若返り効果のような肌質改善が期待できる。また、帯部分５，６から放射される低放射線２１が、後頭部に放射されることにより、後頭部にも低放射線２１が放射され、ホルミシス効果を顔肌だけでなく後頭部にも得ることができる。さらに、健康マスク１から放射される低放射線２１は、殺菌効果を有しており、雑菌等の増殖を防ぐことができるため、健康マスク１を衛生的に使用することができる。
【００４７】
また、第一ラドン発生体３及び第二ラドン発生体４には、炭塗料が含まれている。先に述べた炭の抗菌効果及び消臭効果により、健康マスク１は、人の汗等の臭いを消臭し、且つ、マスク裏面の細菌の増殖を抑制する効果を有する。
【００４８】
また、本実施形態に係る健康マスク１は、その中央に目に対応する開口部１０が形成されていることにより、視野を確保することができ、仕事や家事など作業をしながら、この健康マスク１を着用し低線量ホルミシス効果を得ることができる。
【００４９】
特に入浴時に使用すると、健康マスク１の裏面に固着された第一ラドン発生体３及び第２ラドン発生体４が温められることで、ラドン１７がより多く発生する。これにより、より多くのラドン１７を吸うことができ、より大きな低線量ホルミシス効果を期待することができる。
【００５０】
（第１実施形態の第１変形例）
図５を参照して、本考案の第１実施形態の第１変形例に係る健康マスク１について説明する。図５は、第１実施形態の第１変形例に係る健康マスク１を裏面から見た状態を示すものである。なお、本変形例の健康マスク１は、着脱可能な円盤状のラドン発生体２２を除き、その基本的構成が上記実施形態の健康マスク１と同様であるため、上記実施形態の健康マスク１と同様の構成には同一符号を付し、上記実施形態の説明と重複することになる説明を省略する。
【００５１】
（健康器具の構成）
図５に示す通り、健康マスク１のマスク本体２の裏面には、着脱可能な円盤状のラドン発生体２２が取り付けられている。円盤状のラドン発生体２２は、健康マスク１の裏面であって、健康マスク１の口に対応する部分の近傍に取り付けられるものである。
【００５２】
円盤状のラドン発生体２２とは、円盤状に形成された両面テープの表面に、第１実施形態と同様の第一ラドン発生体３が固着されたものである。円盤状のラドン発生体２２の裏面側は、健康マスク１の裏面に付着される。
【００５３】
なお、この健康マスク１は、着用時において、円盤状のラドン発生体２２の表面と使用者とは、距離があり直接接触するものではない。また、円盤状のラドン発生体２２は、着脱可能であるため、取り換え交換が可能である。したがって、第一ラドン発生体３や第二ラドン発生体４のように、その表面に被膜を形成して、耐水性、耐久性、肌触り等を考慮する必要はない。よって、例えば、トリウム鉱石の粉末又はトリウム鉱石自体を両面テープの表面に固着する構成でも良い。
【００５４】
また、円盤状のラドン発生体２２の構成要素の一例として両面テープを例示して説明したが、円盤状のラドン発生体２２を、健康マスク１の裏面における口元近傍に着脱可能に固定することができれば良く、これに限定されるものではない。例えば、第一ラドン発生体３と健康マスク１の裏面とを面ファスナーで着脱自在にしても良い。
【００５５】
（本変形例の効果）
本変形例においても、上記第１実施形態と同等の効果を得ることができる。さらに、着脱可能な円盤状のラドン発生体２２の数を増減することにより、発生させるラドン及び低放射線２１を調整することができる。また、着脱可能な円盤状のラドン発生体２２を外すことにより、着脱可能な円盤状のラドン発生体２２の剥離を意識せずに、他の部分を洗濯することができ、メンテナンス性に優れた健康マスク１を提供することができる。
【００５６】
（第１実施形態の第２変形例）
図６を参照して、本考案の第１実施形態の第１変形例に係る健康マスク１について説明する。図６は、第１実施形態の第２変形例に係る健康マスク１を装着した状態を示すものである。なお、本変形例の健康マスク１は、マスク本体２を除き、その基本的構成が上記実施形態の健康マスク１と同様であるため、上記実施形態の健康マスク１と同様の構成には同一符号を付し、上記実施形態の説明と重複することになる説明を省略する。
【００５７】
図６に示す通り、本変形例に係る健康マスク１は、口を覆うマスク形状であり、健康マスク１の裏面と使用者の顔との間に、上方に開口したラドンが通る空間２０を有している。
【００５８】
（本変形例の効果）
本変形例においても、上記第１実施形態と同等の効果を得ることができる。すなわち、マスク本体２に固着された第一ラドン発生体３及び第二ラドン発生体４から、ラドンが発生する。使用者は、発生したラドンをラドンが通る空間２０介して口から吸うことができる。そして、ラドン吸引と同時に空間の上方から空気が補充されるようになっている。
【００５９】
なお、本実施形態においては、口と鼻の一部が覆われる構成の健康マスク１で説明したが、少なくとも使用者の口が覆われ、マスク本体２の裏面から発生したラドン１７が、健康マスク１の裏面と顔面との間のラドンが通る空間２０を介して吸うことができ、且つ、そのラドンが通る空間２０に空気が補充されるようになっていれば良く、これに限定されるものではない。例えば、使用者の頭部全体を覆うマスク形状でも良い。
［第２実施形態］
（健康器具の構成）
図７を参照して、本考案の第２実施形態に係る健康マスク１について説明する。なお、以下では、上記実施形態の健康マスク１と同様の構成には同一符号を付し、上記実施形態の説明と重複することになる説明を省略する。図６（ａ）は、第２実施形態に係る健康マスク１を表面側から見た斜視図である。図６（ｂ）は、第２実施形態に係る健康マスク１を裏面側から見た斜視図である。
【００６０】
図７（ａ）、図７（ｂ）に示す通り、健康マスク１は、健康マスク１の土台となるマスク本体２を備え、マスク本体２の口に対応する位置に固着される第三ラドン発生体３０と、マスク本体２の裏面全体に固着される低放射線発生体３１と、マスク本体２の帯部６，５に接着されるループ状面ファスナー７と、フック状面ファスナー８と、を有している。
【００６１】
図７（ａ）に示す通り、健康マスク１は、人の顔を覆う形状をしている。具体的には、上下方向が顔の額から顎裏にかけての部位を被覆し、左右方向が、両頬間の部位を被覆するような大きさ及び形状をしている。そして、健康マスク１の左右両側縁からは、側方へ向かって延出する一対の帯部６，５を有している。一方側へ延出する帯部６の表面には、ループ状面ファスナー７が接着され、他方側へ延出する帯部５の裏面には、フック状面ファスナー８が接着されている。
【００６２】
また、健康マスク１は、人の目に対応する部分に、マスク本体２の表裏を貫通する長穴状の目に対応する開口部３２が形成されている。そして、目に対応する開口部３２の下方であって、人の鼻に対応する部分には、マスク本体２の表裏を貫通する鼻に対応する開口部３３が形成されている。そして、鼻に対応する開口部３３の下方であって、人の口に対応する部分には、第三ラドン発生体３０がマスク本体２の表裏から固着されている。
【００６３】
ここで、第三ラドン発生体３０とは、パウダー状にしたトリウム鉱石と、珪藻土の壁材（日本ケイソウド建材株式会社の商品名「薄塗り外壁材ＧＷＴ」）と、炭塗料とを、重量比１０対１０対１の割合で混ぜ合わせたものいう。この第三ラドン発生体３０は、水と反応して硬化する性質を有してものである。
【００６４】
また、第三ラドン発生体３０を構成する珪藻土は、藻類の一種である珪藻の殻の化石よりなる堆積物であり、個々の珪藻の死骸、すなわち珪藻殻事態が無数の微細孔を有する多孔質素材であり通気性に優れている。よって、このような素材で構成される第三ラドン発生体３０は、第三ラドン発生体３０の表面のみからだけでなく、その内部からもラドンが発生するようになっている。
【００６５】
なお、第三ラドン発生体３０の配合比率について、一例を例示して説明したが、これに限定されるものではない。
【００６６】
図７（ｂ）に示す通り、健康マスク１の土台となるマスク本体２の裏面には、低放射線発生体３１が固着されている。この低放射線発生体３１は、低放射線を発生させるゴム被膜である。この低放射線発生体３１は、トリウム鉱石の粉末を、シリコーン系バインダー塗料に混ぜて攪拌し、マスク本体２の裏面に対して一様に塗布し、乾燥させることにより、マスク本体２の裏面に一様のゴム被膜を形成したものである。これにより、健康マスク１の裏面からは、低放射線が放射されるようになっている。
【００６７】
なお、本実施形態においては、マスク本体２の裏面に、低放射線を発生させる低放射線発生体３１を固着する例を挙げて説明したが、使用者の顔肌に低放射線が放射されれば良く、これに限定されるものではない。例えば、シリコーンゴムに、低放射線を発生させるラジウム鉱石の粉末等を練り込み、それをマスク形状にしても良い。
【００６８】
図８を参照して、第２実施形態に係る健康マスク１の土台となるマスク本体２について説明する。図８（ａ）は、マスク本体２の展開図である。図８（ｂ）は、マスク本体２の斜視図である。図８（ａ）に示す通り、マスク本体２は、右シート部材１２と左シート部材１３とを有している。右シート部材１２と左シート部材１３は、左右対称に形成されている。ここでは、右シート部材１２と左シート部材１３は、例えば、気泡緩衝材の表面及び裏面の全域にアルミ蒸着フィルムを張り合わせたもの（例えば、川上産業製の登録商標「アルミプチ」）を材料として用いた場合で説明する。気泡緩衝材は断熱性及び可撓性に優れ、アルミ蒸着フィルムは熱反射効果に優れている。
【００６９】
この右シート部材１２及び左シート部材１３は、顔を覆う被覆部１４，１４と、帯部５，６と、を有している。
【００７０】
右シート部材１２を用いて、右シート部材１２の被覆部１４、帯部５を説明する。
【００７１】
右シート部材１２の被覆部１４は、顔の右半分を覆う部分となる。被覆部１４には、被覆部１４の上下方向の中心よりやや上の位置に長穴状の目に対応する凹部３５が形成されている。そして、目に対応する凹部３５の下方には、鼻に対応する凹部３６が形成されている。そして、鼻に対応する凹部３６の下方には口に対応する凹部３７が形成されている。そして、被覆部１４の端縁３４には、額に対応する部分３３ａと、鼻に対応する部分３３ｂと、顎から顎裏までに対応する部分３３ｃと、を有している。額に対応する部分３３ａは、左シート部材１３の端縁３４と接合させ、マスク本体２としたときに額に適合させるために丸みを帯びた形状をしている。同様に顎から顎裏までに対応する部分３３ｃも丸みを帯びた形状をしている。そして、鼻に対応する部分３３ｂは、直線状となっている。
そして、被覆部１４の上端の一部には、マスク本体２としたときに、使用者の額に適合するような立体間を形成する第１切り欠き部３８を有する。被覆部１４の下端の一部には、マスク本体２としたときに、使用者の頬から顎裏にかけて適合するような立体間を形成する第２切り欠き部４０を有する。
【００７２】
帯部５は、右シート部材１２の凹部が形成される他端側から側方へ向かって延出している。この帯部５の形状は、略矩形状となっている。
【００７３】
左シート部材１３は、前述した通り、右シート部材１２と左右対称の形状となっている。
【００７４】
図８（ｂ）に示す通り、右シート部材１２の端縁３４と、左シート部材１３の端縁３４とをアルミテープ（不図示）で張り合わせ、そして、右シート部材１２及び左シート部材１３にそれぞれ形成されている第一切り欠き部３８及び第二切り欠き部４０の切り欠かれた部分を塞ぐように合わせてアルミテープで張り合わせることにより、顔全体を覆うための空間をもったマスク本体２の形状となる。
【００７５】
このようなマスク本体２は、顔を覆う部分と、マスク本体２の左右両側縁から側方へ向かって延出する一対の帯部６，５と、を備えている。そして、顔を覆う部分には、目に対応する開口部３２と、鼻に対応する開口部３３と、口に対応する開口部４１と、が形成される。
【００７６】
なお、マスク本体２の材料を気泡緩衝材の表面及び裏面にアルミ蒸着フィルムを張り合わせたもので説明したが、顔を覆うように形成でき、且つ、断熱性に優れたものであれば良く、これに限定されるものではない。
【００７７】
図９を参照して、マスク本体２に芯材４２とループ状面ファスナー７とフック状面ファスナー８が取り付けられた状態について説明する。図９（ａ）は、マスク本体２に芯材４２とループ状面ファスナー７とフック状面ファスナー８が取り付けられた状態を表面から見た斜視図である。図９（ｂ）は、マスク本体２に芯材４２とループ状面ファスナー７とフック状面ファスナー８が取り付けられた状態を裏面から見た斜視図である。
【００７８】
図９（ａ）に示す通り、左シート部材１３の帯部６の表面には、ループ状面ファスナー７が接着されている。図９（ｂ）に示す通り、マスク本体２は、顔を覆う為の凹んだ空間を有している。そして、マスク本体２の右シート部材１２の帯部５の裏面には、フック状面ファスナー８が接着されている。また、マスク本体２の口に対応する開口部４１には、網の目形状の芯材４２が開口部を覆うように裏面から接着されている。ここでは、銅素材のメッシュを用いた場合で説明する。銅素材のメッシュは、殺菌効果を有している。この網の目状の芯材４２は、第三ラドン発生体３０を口に対応する開口部４１に固着する際に芯材４２となる。第三ラドン発生体３０の固着については、第三ラドン発生体３０に水を加え液状にし、これをマスク本体２の口に対応する開口部４１を塞ぐようにして流し込む。そして、乾燥させることにより芯材４２の表裏に渡り、第三ラドン発生体３０が、マスク本体２に固着されることとなる。
【００７９】
第三ラドン発生体３０が口に対応する開口部４１を塞ぐように固着され、そして、マスク本体２の裏面の第三ラドン発生体３０、フック状面ファスナー８以外の部分に低放射線発生体３１が固着されると健康マスク１となる（図６（ａ）、図６（ｂ）参照）。
【００８０】
なお、第三ラドン発生体３０の芯材４２となる部材を銅素材のメッシュで説明したが、第三ラドン発生体３０がマスク本体２に固定することができればよく、これに限定されるものではない。例えば、樹脂製のメッシュでも良い。
【００８１】
（本実施例の効果）
健康マスク１は、口に対応する開口部４１が、ラドンを発生させる第三ラドン発生体３０により覆われていることにより、使用者の口の直ぐ傍からラドンが発生するようになっており、健康マスク１を被った使用者は、口呼吸をすることによりラドンを簡単に吸うことできるようになっている。よって、本実施形態に係る健康マスク１においても、第１実施形態と同様の効果を得ることができる。
【００８２】
健康マスク１は、断熱性と可撓性と反射熱効果に優れている材料で、マスク本体２が作られているため、使用者の顔に適合するように変形し、そして、健康マスク１の裏面と表面との熱伝導を断熱し、使用者の顔から放射された熱を跳ね返すようになっており、健康マスク１の裏面と使用者の顔の間の熱を逃がさないようになっている。これにより、健康マスク１の裏面と使用者の顔の間との空間の温度が、外気と比較して、高くなることにより、サウナ効果を得ることができる。そして、汗をかき老廃物が排出され、新陳代謝があがり、肌が綺麗になる美肌効果を得ることができる。さらに、汗をかく働きが促進されると、顔の輪郭線が引き締められたり、肌のむくみが解消されたりすることにより、小顔になる効果が期待できる。
【００８３】
また、第三ラドン発生体３０の表面のみからだけでなく、その内部からもラドンが発生するようになっているため、効率的にラドンを吸引することができる。
【００８４】
また、健康マスク１は、使用者の顔に、第三ラドン発生体３０に含まれるトリウム鉱石の粉末から遠赤外線が放射されるようになっていることにより、使用者の顔を芯から温める効果を有する。
【００８５】
また、本実施形態に係るマスクは、その中央に大きく長穴状に開口する目に対応する開口部３２が形成されていることにより、視野を広く確保することができ、さらに仕事や家事など作業をしながら、この健康マスク１を着用することができる。特に入浴時に使用すると、入浴により暖められた顔から出る熱を有効に使用することにより、よりサウナ効果が高まり、さらに、健康マスク１が温められることにより、ラドンがより多く発生する。
【００８６】
なお、遠赤外線を発生させる鉱石をトリウム鉱石で説明したが、これに限定されるものではなく、例えば、ラドンを発生する鉱石粉末と併せて、滑石、マグマ鉱石、雲母、トルマリン鉱石、セラミック又はチタニウム等を粉状にして混ぜても良い。
【００８７】
（その他の変形例）
なお、マスク本体２の大きさ及び、マスク本体２に形成される切り欠きの大きさは、使用者の顔の大きさにより適宜設計変更することができる。
【００８８】
また、第一ラドン発生体、第二ラドン発生体、第三ラドン発生体の一例を挙げて説明したが、第二ラドン発生体は、少なくともラドンを発生する鉱石又はその鉱石粉末をマスク本体に取り付けることができる構成になっていれば良く、これに限定されるものではない。
また、第一ラドン発生体及び第三ラドン発生体は、少なくともラドンを発生する鉱石又はその鉱石粉末をマスク本体に取り付けることができ、且つ、これらから発生したラドンを使用者が吸うことができれば良く、これに限定されるものではない。例えば、ラドンを発生する鉱石又は鉱石粉末を接着剤によりマスク本体に接着する方法でも良い。
【００８９】
また、ラドン及びその他の低放射線を発生させる鉱石をトリウム鉱石で説明したが、ラドン及びその他の低放射線を発生させる鉱石であればよく、これに限定されるものではない。例えば、モナザイト鉱石、ウラン鉱石、麦飯石、北投石等でも良い。
【００９０】
また、健康マスク１を使用者の顔に固定する方法として、一対の帯部に接着された面ファスナーを係合させることにより使用者の顔に固定する例を挙げて説明したが、健康マスク１を使用者の頭部へ固定する方法はこれに限定されるものではない。例えば、帯部に代えてゴムバンドで使用者の顔に固定する方法をとっても良い。
【産業上の利用可能性】
【００９１】
本考案は、健康増進のために用いられる健康マスクとして広く使用することができる。
【図面の簡単な説明】
【００９２】
【図１】図１（ａ）は、健康マスクの表面側から見た斜視図である。図１（ｂ）は、健康マスクの裏面側から見た健康マスクの斜視図である。
【図２】図２（ａ）は、マスク本体の展開図である。図２（ｂ）は、マスク本体を表面側から見た斜視図である。
【図３】図３（ａ）は、表面側から見た健康マスクの展開図である。図３（ｂ）は、裏面側から見た健康マスクの展開図である。
【図４】図４（ａ）は、健康マスクの使用状態を表した図である。図４（ｂ）は、健康マスクの使用状態を断面図で表したものである。
【図５】図５は、第１実施例の第１変形例に係る健康マスクを裏面から見た状態を示すものである。
【図６】図６は、第１実施例の第２変形例に係る健康マスクを装着した状態を示すものである。
【図７】図７（ａ）は、第２実施形態に係る健康マスクを表面側から見た斜視図である。図７（ｂ）は、第２実施形態に係る健康マスクを裏面側から見た斜視図である。
【図８】図８（ａ）は、マスク本体の展開図である。図８（ｂ）は、マスク本体の斜視図である。
【図９】図９（ａ）は、マスク本体に芯材とループ状面ファスナーとフック状面ファスナーが取り付けられた状態を表面から見た斜視図である。図９（ｂ）は、マスク本体に芯材とループ状面ファスナーとフック状面ファスナーが取り付けられた状態を裏面から見た斜視図である。
【図１０】図１０は、特許文献２に係る発明の吸入器を表した図である。
【符号の説明】
【００９３】
１……健康マスク、２……マスク本体、３……第一ラドン発生体（ラドン発生体）、４……第二ラドン発生体（ラドン発生体）、１７……ラドン、１８……使用者、２０……ラドンが通る空間、２２……円盤状のラドン発生体（ラドン発生体）、３０……第三ラドン発生体（ラドン発生体）
【図１】
0003148832.tif 000003
【図２】
0003148832.tif 000004
【図３】
0003148832.tif 000005
【図４】
0003148832.tif 000006
【図５】
0003148832.tif 000007
【図６】
0003148832.tif 000008
【図７】
0003148832.tif 000009
【図８】
0003148832.tif 000010
【図９】
0003148832.tif 000011
【図１０】
0003148832.tif 000012
【手続補正書】
【提出日】平成20年12月19日(2008.12.19)
【手続補正１】
【補正対象書類名】実用新案登録請求の範囲
【補正対象項目名】請求項３
【補正方法】変更
【補正の内容】
【請求項３】
前記マスク本体は、前記空間内にラドンを溜めるための底を有する、
ことを特徴とする請求項１又は２に記載の健康マスク。
【手続補正２】
【補正対象書類名】実用新案登録請求の範囲
【補正対象項目名】請求項４
【補正方法】変更
【補正の内容】
【請求項４】
前記マスク本体は、表面がアルミ蒸着フィルムで覆われた気泡緩衝材で形成されている、
ことを特徴とする請求項１乃至３のいずれかに記載の健康マスク。
【手続補正３】
【補正対象書類名】明細書
【補正対象項目名】００１２
【補正方法】変更
【補正の内容】
【００１２】
請求項３に係る考案は、請求項１又は２に記載の考案に係る健康マスクにおいて、前記マスク本体は、前記空間内にラドンを溜めるための底を有することを特徴としている。
【手続補正４】
【補正対象書類名】明細書
【補正対象項目名】００１３
【補正方法】変更
【補正の内容】
【００１３】
請求項４に係る考案は、請求項１乃至３のいずれかに記載の考案に係る健康マスクにおいて、前記マスク本体は、表面がアルミ蒸着フィルムで覆われた気泡緩衝材で形成されていることを特徴としている。